(57)【特許請求の範囲】
【請求項１】
ＰＣ壁板と、コンクリート部材とを接合する方法であって、
前記ＰＣ壁板は、接合端面に開口する鉄筋収容孔と、前記鉄筋収容孔から突出可能な壁筋と、を備え、
前記コンクリート部材は、接合端面に鉄筋挿入口が開口する機械式継手と、前記機械式継手に接続された接合鉄筋と、を備え、
前記ＰＣ壁板を、その接合端面が前記コンクリート部材の接合端面と対向するように建て込み、
前記突出可能な壁筋を、その先端が前記機械式継手内に挿入されるように突出させ、
前記鉄筋収容孔及び前記機械式継手内にグラウトを充填することを特徴とするＰＣ壁板の接合方法。
【請求項２】
ＰＣ壁板と、コンクリート部材とを接合する方法であって、
前記ＰＣ壁板は、接合端面に開口する鉄筋収容孔と、前記鉄筋収容孔から突出可能な壁筋と、を備え、
前記コンクリート部材は、接合端面に開口する鉄筋挿入孔と、前記鉄筋挿入孔内又はその近傍に配置された接合鉄筋と、を備え、
前記ＰＣ壁板を、その接合端面が前記コンクリート部材の接合端面と対向するように建て込み、
前記突出可能な壁筋を、その先端が前記鉄筋挿入孔内に挿入され、前記ＰＣ壁板の壁筋及び前記コンクリート部材の接合鉄筋が互いに部分的に重なり合うように突出させ、
前記鉄筋収容孔及び前記鉄筋挿入孔内にグラウトを充填することを特徴とするＰＣ壁板の接合方法。
【請求項３】
請求項１又は２記載のＰＣ壁板の接合方法であって、
前記コンクリート部材は、ＰＣ壁板であって、
前記コンクリート部材の接合鉄筋は、前記ＰＣ壁板の壁筋又は前記ＰＣ壁板の壁筋の近傍に埋設され、前記壁筋と重ね継手を形成する鉄筋であることを特徴とするＰＣ壁板の接合方法。
【請求項４】
請求項１〜３のうち何れか１項記載のＰＣ壁板の接合方法であって、
前記鉄筋収容孔は、前記ＰＣ壁板を接合方向に貫通するように形成されており、
前記壁筋は、前記壁筋を前記鉄筋収容孔内を挿通させることにより前記接合端面から突出することを特徴とするＰＣ壁板の接合方法。
【発明の詳細な説明】
【技術分野】
【０００１】
本発明はＰＣ壁板の接合方法及びこの方法を用いてＰＣ壁板が接合されてなる壁構造に関する。
【背景技術】
【０００２】
従来より、建物の壁を構築する方法として、フルＰＣ壁板を用いた方法が広く用いられている。このようなフルＰＣ壁板を用いた方法では、フルＰＣ壁板同士の端部より鉄筋を突出させておき、隣接するフルＰＣ壁板の壁筋を重ね継手又は機械式継手などにより継手し、これらフルＰＣ壁板の間にコンクリートを打設することによりフルＰＣ壁板同士を接合している（例えば、特許文献１参照）。
【特許文献１】特開平６―１４６４３９号公報
【発明の開示】
【発明が解決しようとする課題】
【０００３】
ここで、隣接するフルＰＣ壁板を、一方のフルＰＣ壁板の横筋に接合端面に鉄筋挿入口が端面に開口するように機械式継手を接続しておき、また、他方のフルＰＣ壁板の横筋を接合端面より突出させておき、他方のフルＰＣ壁板を、横筋の接合端面より突出した部分が機械式継手内に挿入されるように水平に移動して建て込み、機械式継手内にグラウトを充填することによりフルＰＣ壁板を接合することが考えられる。
【０００４】
しかしながら、スラブやフルＰＣ壁板の上面、梁の下面には、新たに建て込まれたフルＰＣ壁板との接合のために接合鉄筋が突出しており、この接合鉄筋が障害となるため、フルＰＣ壁板を水平に移動させて建て込むことができない。このため、上記のように、フルＰＣ壁板間にコンクリートを現場打ちする部分を設け、この部分においてフルＰＣ壁板の壁筋を継手していた。
【０００５】
このようにフルＰＣ壁板間のコンクリートを現場打設しなければならないため、型枠の設置作業、コンクリートの打設作業、及び脱型作業等を行う必要があり、非常に手間がかかり、また、施工期間が長期化していた。
【０００６】
本発明は、上記の問題に鑑みなされたものであり、その目的は、現場におけるコンクリート打設作業を無くすべく、フルＰＣ壁板を水平方向に建て込み可能にすることである。
【課題を解決するための手段】
【０００８】
本発明のＰＣ壁板の接合方法は、ＰＣ壁板と、コンクリート部材とを接合する方法であって、前記ＰＣ壁板は、接合端面に開口する鉄筋収容孔と、前記鉄筋収容孔から突出可能な壁筋と、を備え、前記コンクリート部材は、接合端面に鉄筋挿入口が開口する機械式継手と、前記機械式継手に接続された接合鉄筋と、を備え、前記ＰＣ壁板を、その接合端面が前記コンクリート部材の接合端面と対向するように建て込み、前記突出可能な壁筋を、その先端が前記機械式継手内に挿入されるように突出させ、前記鉄筋収容孔及び前記機械式継手内にグラウトを充填することを特徴とする。
【０００９】
ＰＣ壁板と、コンクリート部材とを接合する方法であって、前記ＰＣ壁板は、接合端面に開口する鉄筋収容孔と、前記鉄筋収容孔から突出可能な壁筋と、を備え、前記コンクリート部材は、接合端面に開口する鉄筋挿入孔と、前記鉄筋挿入孔内又はその近傍に配置された接合鉄筋と、を備え、前記ＰＣ壁板を、その接合端面が前記コンクリート部材の接合端面と対向するように建て込み、前記突出可能な壁筋を、その先端が前記鉄筋挿入孔内に挿入され、前記ＰＣ壁板の壁筋及び前記コンクリート部材の接合鉄筋が互いに部分的に重なり合うように突出させ、前記鉄筋収容孔及び前記鉄筋挿入孔内にグラウトを充填することを特徴とする。
【００１２】
また、前記コンクリート部材は、ＰＣ壁板であって、前記コンクリート部材の接合鉄筋は、前記ＰＣ壁板の壁筋又は前記ＰＣ壁板の壁筋の近傍に埋設され、前記壁筋と重ね継手を形成する鉄筋であってもよい。
【００１３】
また、前記鉄筋収容孔は、前記ＰＣ壁板を接合方向に貫通するように形成されており、前記壁筋は、前記壁筋を前記鉄筋収容孔内を挿通させることにより前記接合端面から突出してもよい。
【発明の効果】
【００１７】
本発明によれば、ＰＣ壁板に部材の接合端面から突出可能に壁筋が設けられ、この壁筋を突出させてＰＣ壁板、梁、又はスラブの接合鉄筋と継手するため、ＰＣ壁板、梁又はスラブに接合端面から接合鉄筋を突出させる必要がなくなる。これにより、フルＰＣ壁板を水平方向に移動させて建て込むことができ、例えば、一対のフルＰＣ壁板の何れか一方の側面に機械式継手を埋設し、他方のフルＰＣ壁板の側面より壁筋を突出させておき、何れか一方のフルＰＣ壁板を側面より突出した壁筋の先端が機械式継手内に挿入されるように水平方向に移動させて建て込み、一対のフルＰＣ壁板の壁筋を機械式継手により継手することができる。これにより、現場においてコンクリートを打設する必要がなくなり、施工性を向上することができる。
【発明を実施するための最良の形態】
【００１８】
以下、本発明のＰＣ壁板の接合方法の一実施形態を、柱梁架構内に壁を構築する場合を例として図面を参照しながら、詳細に説明する。
図１は、本実施形態の構築方法により構築された壁１を示す図である。同図に示すように、壁１は、柱梁架構１０の柱２、５、梁３及びスラブ４により囲まれた矩形状の空間内に、複数のＰＣ壁板１１０、１３０、１５０、１７０が縦横に建て込まれ、上下方向に隣接するＰＣ壁板１１０、１３０、１５０、１７０の壁筋が継手され、さらに、外周のＰＣ壁板１１０、１３０、１５０、１７０の壁筋と柱２、５、梁３又はスラブ４に埋設された接合鉄筋２１、５１、３１、４１が継手されてなる。
【００１９】
以下の説明では、各フルＰＣ壁板１１０、１３０、１５０、１７０を、図中右側から左側に向かって１〜４列目とし、図中下方から上方に向かって、Ａ段目〜Ｃ段目として説明する。同図に示すように、本実施形態では、Ａ、Ｂ段目の１〜２列目、Ａ、Ｂ段目の３〜４列目、Ｃ段目の１〜２列目、及びＣ段目の３〜４列目には、夫々異なる種類のＰＣ壁板１１０、１３０、１５０、１７０が用いられており、夫々ｔｙｐｅ１〜４として説明する。
【００２０】
図２は、本実施形態の壁１の構築方法において用いられるフルＰＣ壁板（ｔｙｐｅ１）１１０を示す図である。同図に示すように、フルＰＣ壁板（ｔｙｐｅ１）１１０は、鉛直方向（図中縦方向）に延びるように貫通孔１１３が形成された矩形状のＰＣ壁本体１１０Ａと、貫通孔１１３内に収容され、鉛直下方に突出可能な縦筋１１４と、ＰＣ壁本体１１０Ａ上面に鉄筋挿入口が開口するように埋設された機械式継手１１６と、機械式継手１１６に接続され、縦筋１１４の近傍に埋設された接合鉄筋１１５と、ＰＣ壁本体１１０Ａ内に横方向に延びるように埋設され、一端（図２における左側端部）が部材側面より突出する横筋１１１と、横筋１１１の一方の端部（図２における右側端部）に接続され、鉄筋挿入口が部材側面に開口するように設けられた機械式継手１１２と、を備える。
【００２１】
また、図３は、フルＰＣ壁板（ｔｙｐｅ２）１３０を示す図である。同図に示すように、フルＰＣ壁板（ｔｙｐｅ２）１３０は、鉛直方向（図中縦方向）に延びるように複数の貫通孔１３３が形成された矩形状のＰＣ壁本体１３０Ａと、貫通孔１３３内に収容され、鉛直下方に突出可能な縦筋１３４と、ＰＣ壁本体１３０Ａの上面に鉄筋挿入口が開口するように埋設された機械式継手１３６と、機械式継手１３６に接続され、縦筋１３４の近傍に埋設された接合鉄筋１３５と、横方向に延びるようにＰＣ壁本体１３０Ａに埋設された横筋１３１と、横筋１３１の一方の端部（図３における右側端部）に接続され、鉄筋挿入口がＰＣ壁本体１３０Ａの側面に開口するように設けられた機械式継手１３２と、機械式継手１３２が埋設されたのとは逆側の側面の横筋１３１の近傍に開口するように形成された鉄筋収容孔１３７と、鉄筋収容孔１３７内に収容され、部材端面より突出可能な接合鉄筋１３８と、を備える。なお、フルＰＣ壁板（ｔｙｐｅ１）と異なり、横筋１３１の機械式継手１３２が接続されたのとは逆側の端部は部材側面から突出しておらず、部材内に埋設されている。
【００２２】
また、図４は、フルＰＣ壁板（ｔｙｐｅ３）１５０を示す図である。同図に示すように、フルＰＣ壁板（ｔｙｐｅ３）１５０は、矩形状のＰＣ壁本体１５０Ａと、このＰＣ壁本体１５０Ａの上面及び下面の縦筋１５４の近傍に開口するように設けられた鉄筋収容孔１５６、１５８と、これら鉄筋収容孔１５６、１５８に夫々収容され、夫々上方及び下方に部材端面より突出可能な接合鉄筋１５５、１５７と、横方向に延びるようにＰＣ壁本体１５０Ａに埋設された横筋１５１と、横筋１５１の一方の端部（図４における右側端部）に接続され、鉄筋挿入口がＰＣ壁本体１５０Ａの側面に開口するように設けられた機械式継手１５２と、を備える。横筋１５１の機械式継手１５２が接続されたのと逆側の端部はＰＣ壁本体１５０Ａの部材側面より突出している。
【００２３】
また、図５は、フルＰＣ壁板（ｔｙｐｅ４）１７０を示す図である。同図に示すように、フルＰＣ壁板（ｔｙｐｅ４）１７０は、矩形状のＰＣ壁本体１７０Ａと、このＰＣ壁本体１７０Ａの上面及び下面の縦筋１７４の近傍に開口するように設けられた鉄筋収容孔１７６、１７８と、これら鉄筋挿入孔１７６、１７８に夫々収容され、夫々上方及び下方に部材端面より突出可能な接合鉄筋１７５、１７７と、横方向に延びるようにＰＣ壁本体１７０Ａに埋設された横筋１７１と、横筋１７１の一方の端部（図５における右側端部）に接続され、鉄筋挿入口がＰＣ壁本体１７０Ａの側面に開口するように設けられた機械式継手１７２と、機械式継手１７２の鉄筋挿入口が開口するのとは逆側の側面の横筋１７１の近傍に開口する鉄筋収容孔１７９と、鉄筋収容孔１７９内に収容され、図中左側端面より突出可能な接合鉄筋１８０と、を備える。横筋１７１の機械式継手１７２が接続されたのとは逆側の端部はＰＣ壁本体１７０Ａの側面から突出しておらず、部材内に埋設されている。
【００２４】
なお、上記の縦筋１１４、１３４や、接合鉄筋１３８、１５５、１５７、１７５、１７７、１８０などは、予め、紐などの線条体を取り付けた状態で孔内に収容しておき、これを引っ張ることにより、下方より突出しないように保持したり、上面より突出させることができる。
【００２５】
図６〜図１５は、本実施形態の壁の構築方法を説明するための図である。同図に示すように、柱梁架構１０の柱２、５、梁３及びスラブ４にはフルＰＣ壁板１１０、１３０、１５０、１７０と接続するための、接合鉄筋２１、３１、４１、５１が埋設されている。柱２の接合鉄筋２１は、柱２、５、梁３及びスラブ４により囲まれる空間に向かって表面より突出している。また、梁３，スラブ４及び柱５の接合鉄筋３１、４１、５１の先端には機械式継手３２、４２、５２が接続されており、これら機械式継手３２、４２、５２の鉄筋挿入口は梁３，スラブ４及び柱５の表面に開口している。
【００２６】
まず、図６に示すように、Ａ段目１列目のフルＰＣ壁板（ｔｙｐｅ１）１１０を水平方向にスライドさせ、柱２１の表面より突出する接合鉄筋２１の先端が部材側面に開口する機械式継手１１２内に挿入されるように建て込む。そして、図７に示すように、建て込んだフルＰＣ壁板（Ｔｙｐｅ１）１１０の縦筋１１４を部材下面より突出させ、スラブ４に埋設された機械式継手４２内に先端を挿入する。
【００２７】
次に、図８に示すように、Ａ段目１列目のフルＰＣ壁板１１０の横筋１１１の先端が、部材側面に開口する機械式継手１１２内に挿入されるように、Ａ段目２列目のフルＰＣ壁板（ｔｙｐｅ１）１１０を水平方向にスライドさせて建て込む。そして、縦筋１１４を部材下面より突出させ、スラブ４に埋設された機械式継手４２内に先端を挿入する。
【００２８】
次に、図９に示すように、Ａ段目２列目のフルＰＣ壁板１１０の横筋１１１の先端が、側面に開口する機械式継手１３２に挿入されるように、Ａ段目３列目のフルＰＣ壁板（ｔｙｐｅ２）１３０を水平方向にスライドさせて建て込む。そして、縦筋１３４を部材下面より突出させ、梁４に埋設された機械式継手４２内に先端を挿入する。なお、部材側面に開口する鉄筋収容孔１３７内に収容された接合鉄筋１３８は突出させず、鉄筋収容孔１３７内に収容された状態のままにする。
【００２９】
次に、図１０に示すように、Ａ段目４列目のフルＰＣ壁板（ｔｙｐｅ２）１３０を建て込む。なお、Ａ段目４列目のフルＰＣ壁板１３０は、図１０における左右方向に移動させて建て込むことができないため、紙面上下方向にスライドさせて建て込む。そして、縦筋１３４を部材下面より突出させ、梁４に埋設された機械式継手４２内に先端を挿入する。また、Ａ段目３列目及びＡ段目４列目のフルＰＣ壁板１３０の部材側面の鉄筋収容孔１３８内に収容された接合鉄筋１３７を突出させ、夫々、Ａ段目４列目のフルＰＣ壁板１３０の側面及び柱の側面に開口する機械式継手１３２、５２内に先端を挿入させる。
次に、図１１に示すように、Ａ段目１〜４列目を建て込んだのと同様に、Ｂ段目１〜４列目のフルＰＣ壁板１１０、１２０を建て込む。
【００３０】
次に、図１２に示すように、Ｃ段目１列目のフルＰＣ壁板（ｔｙｐｅ３）１５０を水平方向にスライドさせ、柱２の表面より突出する接合鉄筋２１の先端が、部材側面に開口する機械式継手１５２内に挿入されるように建て込む。そして、Ｃ段目１列目のフルＰＣ壁板１５０の上下面より接合鉄筋１５５、１５７を、夫々梁３の下面に開口する機械式継手３２及びＢ段目１列目のフルＰＣ壁板１１０の上面に開口する機械式継手１１６内に先端が挿入されるように突出させる。
【００３１】
次に、Ｃ段目１列目のフルＰＣ壁板１５０と同様に、Ｃ段目２列目のフルＰＣ壁板（ｔｙｐｅ３）１５０を水平方向にスライドさせ、Ｃ段目１列目のフルＰＣ壁板１５０の横筋１５１の先端が、部材側面に開口する機械式継手１５２内に挿入されるように建て込む。そして、Ｃ段目２列目のフルＰＣ壁板１５０の上下面より接合鉄筋１５５、１５７を、夫々梁３の下面に開口する機械式継手３２及びＢ段目２列目のフルＰＣ壁板１１０の上面に開口する機械式継手１１６内に先端が挿入されるように突出させる。
【００３２】
次に、図１３に示すように、Ｃ段目３列目のフルＰＣ壁板（ｔｙｐｅ４）１７０を水平方向にスライドさせ、Ｃ段目２列目のフルＰＣ壁板１５０の横筋１５１の先端が、部材側面に開口する機械式継手１７２内に挿入されるように建て込む。そして、Ｃ段目３列目のフルＰＣ壁板１７０の上下面より接合鉄筋１７５、１７７を、夫々梁３の下面に開口する機械式継手３２及びＢ段目３列目の上面に開口する機械式継手１３６内に先端が挿入されるように突出させる。なお、部材側面に開口する鉄筋収容孔１８０内に収容された接合鉄筋１７９は突出させず、鉄筋挿入孔１８０内に収容された状態のままにする。
【００３３】
次に、図１４に示すように、Ｃ段目４列目のフルＰＣ壁板（ｔｙｐｅ４）１７０を建て込む。なお、Ｃ段目４列目のフルＰＣ壁板１７０は、図中左右方向に移動させて建て込むことができないため、紙面に対して垂直方向にスライドさせて建て込む。そして、接合鉄筋１７５、１７７を部材上下面より突出させ、夫々、梁３の下面に開口する機械式継手３２及びＢ段目４列目の上面に開口する機械式継手１３６内に先端を挿入する。また、Ｃ段目３列目及びＣ段目４列目のフルＰＣ壁板１７０の部材側面に開口する鉄筋収容孔１８０内に挿入された接合鉄筋１７９を、夫々、Ｃ段目４列目のフルＰＣ壁板１７０の側面に開口する機械式継手１７２及び柱の側面に開口する機械式継手５２内に先端が挿入されるように突出させる。なお、梁３をＰＣ梁部材により構成するような場合には、Ｃ段４列目のフルＰＣ壁板１７０を垂直方向に建て込んでもよく、このような場合には、Ｃ段１〜４列目のフルＰＣ壁板１５０、１７０の接合鉄筋１５５、１７５は突出させておいてもよい。
【００３４】
そして、図１５に示すように、各フルＰＣ壁板１１０、１３０、１５０、１７０の機械式継手、鉄筋収容孔、及び貫通孔内にグラウト６を充填する。これにより、フルＰＣ壁板１１０、１３０、１５０、１７０の縦筋及び横筋は、機械式継手又は重ね継手により継手され、さらに、外周側のフルＰＣ壁板１１０、１３０、１５０、１７０の縦筋及び横筋は梁３、スラブ４又は柱２、５に埋設された接合鉄筋３１、４１、２１，５１と継手されることとなる。さらに、各フルＰＣ壁板１１０、１３０、１５０、１７０の間、フルＰＣ壁板１１０、１３０、１５０、１７０と梁３、スラブ４又は柱２、５の間の目地にグラウト６を充填する。
以上の工程により梁３、スラブ４又は柱２、５により囲まれる空間内に壁１を構築することができる。
【００３５】
本実施形態によれば、Ａ，Ｂ段目のフルＰＣ壁板（ｔｙｐｅ１、２）１１０、１３０では縦筋１１４，１３４を下面より突出可能とし、フルＰＣ壁板（ｔｙｐｅ１、２）１１０、１３０の建て込み後、縦筋１１４、１３４を下方に突出させて、下方に位置するフルＰＣ壁板又はスラブに埋設された機械式継手１１６、１３６、４２に先端を挿入し、この機械式継手１１６、１３６、４２により継手することとしたため、スラブやフルＰＣ壁板の上面より接合鉄筋を突出させる必要がなくなり、フルＰＣ壁板（ｔｙｐｅ１、２）１１０、１３０を水平方向にスライドさせて建て込むことが可能となる。
【００３６】
また、Ｃ段目のフルＰＣ壁板（ｔｙｐｅ３、４）１５０、１７０では、接合鉄筋１７５，１７７を上下面より突出可能とし、フルＰＣ壁板（ｔｙｐｅ３、４）１５０、１７０の建て込み後、接合鉄筋１５５、１５７を上下に突出させて、上下に位置するフルＰＣ壁板又は梁３に埋設された機械式継手１１６、１３６、３２に先端を挿入し、この機械式継手１１６、１３６、４２により継手することとしたため、梁３やフルＰＣ壁板の上面より接合鉄筋を突出させる必要がなくなり、フルＰＣ壁板（ｔｙｐｅ３、４）１５０、１７０を水平方向にスライドさせて建て込むことが可能となる。
【００３７】
このように、フルＰＣ壁板１１０、１３０、１５０、１７０を水平方向に移動して建て込むことができるため、フルＰＣ壁板１１０、１３０、１５０、１７０の接合端面に機械式継手１１２、１３２、１５２、１７２を埋設しておき、フルＰＣ壁板１１０、１３０、１５０、１７０を水平方向に移動して建て込み、機械式継手１１２、１３２、１５２、１７２内に横筋１１１、１３１、１５１、１７１を挿入して継手することができる。このため、水平方向に隣接するフルＰＣ壁板１１０、１３０、１５０、１７０を現場においてコンクリートを打設することなく接合することができる。
【００３８】
なお、上記の実施形態においてフルＰＣ壁板（ｔｙｐｅ１及びｔｙｐｅ２）１１０、１３０の縦筋１１４、１３４は貫通孔１１３、１３３内に収容した状態でフルＰＣ壁板（ｔｙｐｅ１及びｔｙｐｅ２）１１０、１３０を建て込むものとしたが、これに限らず、フルＰＣ壁板（ｔｙｐｅ１及びｔｙｐｅ２）１１０、１３０の建て込み後、部材上方より貫通孔１１３、１３３内に縦筋１１４、１３４を挿入し、下面より突出させてもよい。
【００３９】
また、縦筋１１４、１３４を収容する孔は上記の実施形態のように貫通孔１１３、１３３とせずに、部材の下面のみに開口する孔としてもよい。
【００４０】
また、上記の構成では、フルＰＣ壁板（ｔｙｐｅ１及びｔｙｐｅ２）１１０、１３０については、縦筋１１４、１３４を下方に突出可能とし、下方に位置するフルＰＣ壁板１１０、１３０又はスラブ４の上面に開口する機械式継手１１６、１３６、４２内に先端が到達するように縦筋１１４、１３４を突出させて継手する構成とし、フルＰＣ壁板（ｔｙｐｅ３及びｔｙｐｅ４）１５０、１７０については、上下面より接合鉄筋１５５、１５７、１７５、１７７を突出可能とし、上下に位置する梁４又はフルＰＣ壁板１１０、１３０の機械式継手内１１６、１３６、３２に先端が到達するように接合鉄筋１５５、１５７、１７５、１７７を突出させて継手する構成としたが、本発明のＰＣ壁板の接合方法はこれに限られない。
【００４１】
図１６〜図２１は、本発明のフルＰＣ壁板の接合方法の別の実施形態を示す図である。
図１６に示すフルＰＣ壁板２１０、２２０の接合方法では、フルＰＣ壁板２１０、２２０は、上下方向に延びるように貫通孔２１３、２２３が設けられ、貫通孔２１３、２２３内に部材上面より突出可能に縦筋２１４、２２４が収容されており、また、部材の下部の貫通孔２１３、２２３の近傍には、接合鉄筋２１５、２２５が埋設され、これら接合鉄筋２１５、２２５には、部材下面に鉄筋挿入口が開口するように埋設された機械式継手２１６、２２６が接続されている。このようなフルＰＣ壁板２１０、２２０を上下に接続する場合には、上方のフルＰＣ壁板２１０を下方のフルＰＣ壁板２２０の上方に建て込み、下方のフルＰＣ壁板２２０の縦筋２２４を上方に突出させ、上方のフルＰＣ壁板２１０の下面に開口する機械式継手２１６内に先端を挿入し、貫通孔２１３、２２３及び機械式継手２１６内と上方及び下方のフルＰＣ壁板２１０、２２０間の目地にグラウトを充填すればよい。これにより上方のフルＰＣ壁板２１０の縦筋２１４と接合鉄筋２１５とが重ね継手により継手され、接合鉄筋２１５と下方のフルＰＣ壁板２２０の縦筋２２４とが機械式継手２１６により継手されるため、上下のフルＰＣ壁板２１０、２２０の縦筋２１４、２２４を継手することができる。
【００４２】
また、図１７に示すフルＰＣ壁板２３０、２４０の接合方法では、フルＰＣ壁板２３０、２４０は、部材の上面から下面まで貫通する貫通孔２３３、２４３が設けられ、貫通孔２３３、２４３内には、部材の上下高さよりも長い縦筋２３４、２４４が収容されている。このようなフルＰＣ壁板２３０、２４０を接合する場合には、上方のフルＰＣ壁板２３０を、縦筋２３４を下面から先端が突出しないように保持した状態で、水平方向にスライドさせて建て込み、縦筋２３４を部材下面より突出させる。これにより、下方のフルＰＣ壁板２４０の貫通孔２４３内に上方のフルＰＣ壁板２３０の縦筋２３４が挿入され、上方及び下方のフルＰＣ壁板２３０、２４０の縦筋２３４、２４４が部分的に重なり合う。このような状態で上方及び下方のフルＰＣ部材２３０、２４０の貫通孔２３３、２４３内にグラウトを充填することにより、上方及び下方のフルＰＣ壁板２３０、２４０の縦筋２３４，２４４を重ね継手により継手することができる。
【００４３】
また、図１８に示すフルＰＣ壁板２５０、２６０の接合方法では、フルＰＣ壁板２５０、２６０は、部材の上面から下面まで貫通する貫通孔２５３、２６３が設けられ、貫通孔２５３、２６３内には、縦筋２５４、２６４と接合鉄筋２５５、２６５が挿入されている。なお、重ね鉄筋２５５、２６５は、部材上面より突出させることが可能である。このようなフルＰＣ壁板２５０、２６０を接合するには、上方のフルＰＣ壁板２５０を下方のフルＰＣ壁板２６０の上方に水平方向に移動させて建て込み、下方のフルＰＣ壁板２６０の重ね鉄筋２６５を上方に突出させて上方のフルＰＣ壁板２５０の貫通孔２５３内に先端を挿入する。これにより、上方及び下方のフルＰＣ壁板２５０、２６０の縦筋２５４、２６４と重ね鉄筋２６５とが夫々部分的に重なり合うこととなる。そして、貫通孔２５３、２６３内にグラウトを充填する。これにより、縦筋２５４、２６４と重ね鉄筋２６５とが夫々重ね継手により継手され、上方及び下方のフルＰＣ壁板２５０、２６０の縦筋２５４、２６４を継手することができる。
【００４４】
また、図１９に示すフルＰＣ壁板２７０、２８０の接合方法では、フルＰＣ壁板２７０、２８０は、縦筋２７４、２８４は部材本体内に埋設されており、部材の上面には鉄筋収容孔２７６，２８６が形成されており、この鉄筋収容孔２７６、２８６内には重ね鉄筋２７５、２８５が収容されている。また、部材の下面には挿入孔２７７、２８７が形成されている。このようなフルＰＣ壁板２７０、２８０を接合する場合には、上方のフルＰＣ壁板２７０を水平方向に移動させて下方のフルＰＣ壁板２８０の上方に建て込み、下方のフルＰＣ壁板２８０の重ね鉄筋２８５を上方に突出させて、上方のフルＰＣ壁板２７０の下面に開口する挿入孔２７７内に先端を挿入する。これにより、上方及び下方のフルＰＣ壁板２７０、２８０の縦筋２７４、２８４と重ね鉄筋２８５とが夫々部分的に重なり合うこととなる。そして、上方のフルＰＣ壁板２７０の挿入孔２７７、及び下方のフルＰＣ壁板２８０の鉄筋収容孔２８６にグラウトを充填する。これにより、縦筋２７４、２８４と重ね鉄筋２８５とが夫々重ね継手により継手され、上方及び下方のフルＰＣ壁板２７０、２８０の縦筋２７４、２８４を継手することができる。
【００４５】
なお、図１９に示すフルＰＣ壁板２７０、２８０の接合方法では、フルＰＣ壁板２７０、２８０に上面に開口するように鉄筋収容孔２７６、２８６を設け、また、下面に開口するように挿入孔２７７、２８７を設け、鉄筋収容孔２７６、２８６内に接合鉄筋２８５を収容しておくものとしたが、これに限らず、フルＰＣ壁板２７０、２８０に上面に開口するように挿入孔を設け、また、下面に開口するように鉄筋収容孔を設け、この鉄筋収容孔に接合鉄筋を収容するものとしてもよい。かかる構成であっても、上方のフルＰＣ壁板２８０の建て込み後に、接合鉄筋を下方に突出させ、下方のフルＰＣ壁板２８０の挿入孔に挿入することで、重ね継手を形成することができる。
【００４６】
また、図２０に示すフルＰＣ壁板２９０、３００の接合方法では、フルＰＣ壁板２９０、３００は、部材の上面から下面まで貫通する貫通孔２９３、３０３が設けられ、貫通孔２９３、３０３内には、部材の上下高さよりも長い縦筋２９４、３０４が収容されている。また、部材上面の貫通孔２９３、３０３の近傍には挿入孔２９５、３０５が形成されている。このようなフルＰＣ壁板２９０、３００を接合する場合には、上方のフルＰＣ壁板２９０を、縦筋２９４を部材下面より突出しないように保持した状態で水平方向に移動させて建て込み、上方のフルＰＣ壁板２９０の縦筋２９４を部材下面より突出させて、その先端を下方のフルＰＣ壁板３００の上面に開口する挿入孔３０５内に挿入する。これにより上下のフルＰＣ壁板２９０、３００の縦筋２９４、３０４が部分的に重なり合うことになる。そして、貫通孔２９３、３０３及び挿入孔３０５内にグラウトを充填する。これにより、上方及び下方のフルＰＣ壁板２９０、３００の縦筋２９４、３０４が重ね継手により継手される。
【００４７】
また、図２１に示すフルＰＣ壁板３５０、３６０の接合方法では、フルＰＣ壁板３５０、３６０は、部材の上下方向に延びるように縦筋３５３、３６３が埋設され、縦筋３５３、３６３の近傍の部材上部には、上面に開口する鉄筋収容孔３５８、３６８が形成され、鉄筋収容孔３５８、３６８の内部には接合鉄筋３５７、３６７が収容されている。また、フルＰＣ壁板３５０、３６０の縦筋３５３、３６３の近傍の部材下部には、接合鉄筋３５５５、３６５が埋設され、接合鉄筋３５５、３６５には部材下面に鉄筋挿入孔が開口するように機械式継手３５６、３６６が埋設されている。このようなフルＰＣ壁板３５０、３６０を接合するには、上方のフルＰＣ壁板３５０を水平方向に移動させて、下方のフルＰＣ壁板３６０の上方に建て込み、下方のフルＰＣ壁板３６０の鉄筋収容孔３６８の内部に収容された接合鉄筋３６７を部材上面より突出させて、その先端を上方のフルＰＣ壁板３５０の機械式継手３５６内に挿入する。そして、機械式継手３５６内及び鉄筋収容孔３６７内にグラウトを充填する。これにより、接合鉄筋３５５、３６８が機械式継手３６７により継手され、また、これら接合鉄筋３５５、３６８が夫々、縦筋３５３、３６３に重ね継手により継手される。
【００４８】
また、図２２に示すフルＰＣ壁板３１０、３２０、３３０の接合方法では、中間のフルＰＣ壁板３２０は上面から下面まで貫通する貫通孔３２３が設けられ、貫通孔３２３内にはその上面より突出可能な上方の縦筋３２５及びその下面より突出可能な下方の縦筋３２４が挿入されている。なお、上方の縦筋３２５及び下方の縦筋３２４は夫々上面及び下面から突出させた場合であってもその一部が重なり合うような長さを有する。また、上方及び下方のフルＰＣ壁板３１０、３３０は、上下方向に延びるように縦筋３１３、３３３が埋設され、その両端には夫々部材上面及び下面に鉄筋挿入口が開口するように機械式継手３１４、３１５、３３４、３３５が接続されている。これらのフルＰＣ壁板３１０、３２０、３３０を接続する場合には、中間のフルＰＣ壁板３２０を上方及び下方の縦筋３２４、３２５が上下面より突出しないように保持した状態で、水平方向に移動させて下方のフルＰＣ壁板３３０の上方に建て込み、下方の縦筋３２４を下面より突出させ、先端を下方のフルＰＣ壁板３３０の上方の機械式継手３３５内に挿入させる。さらに、上方のフルＰＣ壁板３１０を中間のフルＰＣ壁板３２０の上方に水平方向に移動させて建て込む。そして、中間のフルＰＣ壁板３２０の上方の縦筋３２５を上面より突出させ、その先端を上方のフルＰＣ壁板３１０の下方の機械式継手３１４に挿入させる。
【００４９】
そして、中間のフルＰＣ壁板３２０の貫通孔３２３、上方のフルＰＣ壁板３１０の下方の機械式継手３１４、及び下方のフルＰＣ壁板３３０の上方の機械式継手３３５内にグラウトを充填する。これにより、中間のフルＰＣ壁板３２０の上方及び下方の縦筋３２５、３２４が重ね継手により継手され、さらに、上方及び下方の縦筋３２５、３２４が夫々、上方及び下方のフルＰＣ壁板３１０、３３０の縦筋３１３、３３３に機械式継手３１４、３３５により継手される。
【００５０】
さらに、フルＰＣ壁板の接合方法は、上記説明した方法に限られず、要するに、上方又は下方のフルＰＣ壁板の何れか一方の縦筋又は縦筋の近傍に配置された接合鉄筋が接合端面より突出可能であり、この縦筋又は接合鉄筋を突出させることにより、他方のＰＣ壁板の縦筋又は縦筋の近傍に埋設された接合鉄筋と、機械式継手又は重ね継手により継手することができればよい。
【００５１】
なお、図６〜図１５を参照して説明した壁の構築方法における上下のフルＰＣ壁板の接合方法及び図１６〜図２２を参照して説明したフルＰＣ壁板の接合方法は、フルＰＣ壁板と梁又はスラブとを接合する場合にも適用することができる。このような場合には、図１６〜図２２におけるフルＰＣ壁板の何れか一つ（図２２の接合方法では中間のフルＰＣ壁板３２０を除く）を梁又はスラブに替えればよい。
【００５２】
また、フルＰＣ壁板を接続して壁を構築する場合には、必ずしも、上記のフルＰＣ壁板の接合方法の何れかのみを用いる必要はなく、複数の方法を併用してもよい。
また、上記の図６〜図１５を参照して説明した壁の構築方法では、柱とフルＰＣ壁板とを、柱に埋設された接合鉄筋とフルＰＣ壁板の横筋とを継手し、さらに、フルＰＣ壁板と柱との間にグラウトを充填して接合しているが、これに限らず、柱の接合鉄筋を省略し、フルＰＣ壁板の横筋は柱筋とは継手せずに、フルＰＣ壁板と柱の間にグラウトを充填するのみとしてもよい。この場合、柱やフルＰＣ壁板の接合端面にシアキーを設けてもよい。
【００５３】
また、上記の実施形態において、水平方向に隣接するフルＰＣ壁板は、一方の側面より突出する横筋又は突出可能な接合鉄筋が設けられ、他方の端面に鉄筋挿入口が開口するように機械式継手が埋設されており、横筋又は接合鉄筋を機械式継手に挿入し、機械式継手内にグラウトを充填することにより接続したが、これに限らず、図２３に示すように、一部の横筋４１１は接合端面より突出させ、残りの横筋４１１には接合端面に鉄筋挿入口が開口するように機械式継手４１２を接続しておいてもよい。また、図２４に示すように、部材両側面より横筋４３１が突出したフルＰＣ壁板４３０と、部材両側面に機械式継手４２１、４２２が埋設されたフルＰＣ壁板４２０とを用いても、これらのフルＰＣ壁板４２０、４３０を交互に接続することによりフルＰＣ壁板４２０、４３０を水平方向に接続していくことができる。要するに、隣接するフルＰＣ壁板の横筋のうち何れか一方に機械式継手が接続されており、他方が先端が部材側面より突出していれば継手することができる。
【００５４】
また、隣接するフルＰＣ壁板の横筋を重ね継手により継手することも可能である。すなわち、何れか一方の横筋の近傍に接合端面に開口する孔が設けられており、他方の横筋を接合端面より突出させておけば重ね継手により継手することができる。
また、必ずしも、隣接するフルＰＣ壁板の何れか一方の横筋を接合端面より突出させる必要はなく、横筋の近傍に接合端面より突出可能な接合鉄筋を設ける構成としてもよい。
【００５５】
さらに、上記図６〜図１５を参照して説明した壁の構築方法における上下のフルＰＣ壁板の接合方法及び図１６〜図２２を参照して説明した上下方向に隣接するフルＰＣ壁板の接合方法を水平方向に隣接するフルＰＣ壁板の接合方法に適用することも可能である。このような場合には、図１６〜図２２を９０度回転させた状態が、水平方向に隣接するフルＰＣ壁板の接合に適用した場合にあたる。このように、水平方向に隣接するフルＰＣ壁板の横筋の継手方法は問わない。
【００５６】
また、本実施形態では、ＰＣ壁板を水平方向に移動させて建て込む場合について説明したが、これに限らず、ＰＣ壁板を鉛直方向に移動させて建て込むことも可能である。かかる場合には、上記図６〜図１５を参照して説明した壁の構築方法における上下のフルＰＣ壁板の接合方法及び図１６〜図２２を参照して説明した上下方向に隣接するフルＰＣ壁板の接合方法を水平方向に隣接するフルＰＣ壁板の接合方法に適用すればよい（これらの図を９０度回転させた状態）。なお、上記の各実施形態における水平方向に隣接するフルＰＣ壁板の横筋の継手方法と同様に、上下方向に隣接するフルＰＣ壁板の縦筋の継手方法は問わない。
【００５７】
また、上記の実施形態では、１階層分の壁を構築する場合について説明したが、これに限らず、図２５に示すように、複数階層に亘るような壁４１０を構築する場合にも本実施形態のフルＰＣ壁板の接合方法を適用することができる。このような場合には、フルＰＣ壁部材として、壁と梁の一部が一体となった梁つきのフルＰＣ壁板を用いてもよい。このような場合は、梁を構成するコンクリートは現場打ちとしても構わない。
【図面の簡単な説明】
【００５８】
【図１】本実施形態の構築方法により構築された壁を示す図である。
【図２】フルＰＣ壁板（ｔｙｐｅ１）を示す図である。
【図３】フルＰＣ壁板（ｔｙｐｅ２）を示す図である。
【図４】フルＰＣ壁板（ｔｙｐｅ３）を示す図である。
【図５】フルＰＣ壁板（ｔｙｐｅ４）を示す図である。
【図６】本実施形態の壁の構築方法を説明するための図（その１）である。
【図７】本実施形態の壁の構築方法を説明するための図（その２）である。
【図８】本実施形態の壁の構築方法を説明するための図（その３）である。
【図９】本実施形態の壁の構築方法を説明するための図（その４）である。
【図１０】本実施形態の壁の構築方法を説明するための図（その５）である。
【図１１】本実施形態の壁の構築方法を説明するための図（その６）である。
【図１２】本実施形態の壁の構築方法を説明するための図（その７）である。
【図１３】本実施形態の壁の構築方法を説明するための図（その８）である。
【図１４】本実施形態の壁の構築方法を説明するための図（その９）である。
【図１５】本実施形態の壁の構築方法を説明するための図（その１０）である。
【図１６】フルＰＣ壁板の接合方法の別の実施形態を示す図（その１）である。
【図１７】フルＰＣ壁板の接合方法の別の実施形態を示す図（その２）である。
【図１８】フルＰＣ壁板の接合方法の別の実施形態を示す図（その３）である。
【図１９】フルＰＣ壁板の接合方法の別の実施形態を示す図（その４）である。
【図２０】フルＰＣ壁板の接合方法の別の実施形態を示す図（その５）である。
【図２１】フルＰＣ壁板の接合方法の別の実施形態を示す図（その６）である。
【図２２】フルＰＣ壁板の接合方法の別の実施形態を示す図（その７）である。
【図２３】水平方向に隣接するフルＰＣ壁板の接合方法の別の実施形態を示す図（その１）である。
【図２４】水平方向に隣接するフルＰＣ壁板の接合方法の別の実施形態を示す図（その２）である。
【図２５】フルＰＣ壁板を用いて構築した複数階層に亘る壁を示す図である。
【符号の説明】
【００５９】
１  壁
２  柱
３  梁
４  スラブ
５  柱
１０  柱梁架構
２１、３１、４１、５１  接合鉄筋
２２、３２、４２、５２  機械式継手
１１０  フルＰＣ壁板（ｔｙｐｅ１）
１１０Ａ  フルＰＣ壁本体
１１１、１３１、１５１  横筋
１１２、１３２、１５２  機械式継手
１１３、１３３  貫通孔
１１４、１３４、１５４、１７４  縦筋
１１５、１３５  接合鉄筋
１１６、１３６  機械式継手
１３０  フルＰＣ壁板（ｔｙｐｅ２）
１３７  鉄筋収容孔
１３８  接合鉄筋
１５０  フルＰＣ壁板（ｔｙｐｅ３）
１５５、１５７、１７５、１７７  接合鉄筋
１５６、１５８、１７６、１７８  鉄筋収容孔
１７０  フルＰＣ壁板（ｔｙｐｅ４）
１７９  鉄筋収容孔
１８０  接合鉄筋
２１０、２２０、２３０、２４０、２５０、２６０  フルＰＣ壁板
２１３、２２３、２３３、２４３、２５３、２６３  貫通孔
２１４、２２４、２３４、２４４、２５４，２６４  縦筋
２１５、２２５  接合鉄筋
２１６、２２６  機械式継手
２７０、２８０、２９０、３００、３１０、３２０、３３０  フルＰＣ壁板
２７４、２８４、２９４、３０４、３１３、３３３  縦筋
２５５、２６５、２７５、２８５  重ね鉄筋
２７６、２８６  鉄筋収容孔
２７７、２８７  挿入孔
２９３、３０３、３２３  貫通孔
３１４、３１５、３３４、３３５  機械式継手
３２４  下方の縦筋
３２５  上方の縦筋
３５０、３６０  フルＰＣ壁板
３５３、３６３  縦筋
３５５、３６５  接合鉄筋
３５６、３６６  機械式継手
３５７、３６７  鉄筋収容孔
３５８、３６８  接合鉄筋
４１０、４２０、４３０  フルＰＣ壁板
４１１、４２１、４３１  横筋
４１２、４２２  機械式継手
【図１】
0005151442.tif 000002
【図２】
0005151442.tif 000003
【図３】
0005151442.tif 000004
【図４】
0005151442.tif 000005
【図５】
0005151442.tif 000006
【図６】
0005151442.tif 000007
【図７】
0005151442.tif 000008
【図８】
0005151442.tif 000009
【図９】
0005151442.tif 000010
【図１０】
0005151442.tif 000011
【図１１】
0005151442.tif 000012
【図１２】
0005151442.tif 000013
【図１３】
0005151442.tif 000014
【図１４】
0005151442.tif 000015
【図１６】
0005151442.tif 000016
【図１７】
0005151442.tif 000017
【図１８】
0005151442.tif 000018
【図１９】
0005151442.tif 000019
【図２０】
0005151442.tif 000020
【図２１】
0005151442.tif 000021
【図２２】
0005151442.tif 000022
【図２３】
0005151442.tif 000023
【図２４】
0005151442.tif 000024
【図２５】
0005151442.tif 000025
【図１５】
0005151442.tif 000026